(57)【要約】      （修正有）【課題】再生と視聴に便利なほか、投影視聴効果が極めて良い空中映像装置及びその空中投影ラックを提供する。【解決手段】空中映像装置に空中投影ラック１０を備え、台１１を有し、台の前側に傾斜状の投影パネル１２が立設され、投影パネルの上方に不透光性の板材からなる取付け板１４が設けられ、取付け板は投影パネルに対応する位置に投影開口部１４１を有する。映像再生機能を有する電子装置プロジェクターを備え、外観は取付け板に対応して設けられている。プロジェクター２０は取付け板に設けられ、プロジェクターに再生画面２１を有し、再生画面は投影開口部に対応しており、投影開口部を介して、映像を投影パネルに投射させ、空中投影ラックに投影し、空中に浮かぶ仮想感覚の映像を形成する。【選択図】図２
0003166834.tif 000002
【実用新案登録請求の範囲】
【請求項１】
台を備え、前記台の前側に傾斜状の投影パネルが立設され、前記投影パネルの上方に不透光性の板材からなる取付け板が設けられ、前記取付け板は前記投影パネルに対応する場所に、投影開口部が設けられている空中投影ラックと、
映像再生機能を備える電子装置であり、外観は前記取付け板に対応して設けられる、プロジェクターとを備え、
前記プロジェクターは前記取付け板と離れて設けることができ、前記プロジェクターに再生画面を備え、前記再生画面は前記投影開口部に対応しており、投影開口部を介して映像を前記投影パネルに投射し前記空中投影ラックに投影画像を表示することができることを特徴とする空中映像装置。
【請求項２】
前記投影パネルは４５度の仰角を形成し上方に傾斜されていることを特徴とする請求項１記載の空中映像装置。
【請求項３】
前記空中投影ラックは前記台において、前記投影パネルの後側に対応する位置に背板が設けられていることを特徴とする請求項２記載の空中映像装置。
【請求項４】
前記背板は不透光性の板材であることを特徴とする請求項３記載の空中映像装置。
【請求項５】
前記投影パネルは半透光性の板材であることを特徴とする請求項３記載の空中映像装置。
【請求項６】
前記投影パネルは黒色であることを特徴とする請求項３記載の空中映像装置。
【請求項７】
前記投影パネルに保護膜が設けられていることを特徴とする請求項３記載の空中映像装置。
【請求項８】
台を備え、前記台の前側に傾斜状の投影パネルが立設され、前記投影パネルの上方に不透光性の板材からなる取付け板が設けられ、前記取付け板は前記投影パネルに対応する場所に、投影開口部が設けられている空中投影ラック。
【請求項９】
前記投影パネルは４５度の仰角を形成し上方に傾斜されていることを特徴とする請求項８記載の空中投影ラック。
【請求項１０】
前記空中投影ラックは前記台において、前記投影パネルの後側に対応する位置に背板が設けられていることを特徴とする請求項９記載の空中投影ラック。
【考案の詳細な説明】
【技術分野】
【０００１】
本考案は一種の空中映像装置及びその空中投影ラックに関し、特に一種の斬新な映像投影再生装置及びその空中投影ラックに関する。
【背景技術】
【０００２】
表示スクリーンはたとえば、動的な映画、動画などの映像の再生または静的なスライド、写真、図画などの映像を再生することは、現代人の生活で一般に応用されている技術手段である。さらに、科学技術の進歩に伴い、携帯式電子プレーヤまたは再生機能を有する携帯式デバイスは一般消費者に好まれている。
【考案の概要】
【考案が解決しようとする課題】
【０００３】
しかし、この種の再生手段について、再生方式の多くはなお画面の直接表示に限られているため、再生装置の外観上にラックなどの支え機構を新たに購入し、使用者が装置を平面に置いて視聴するか、または使用者が手に持って映像を視聴しなければならない。使用は便利とはいえない。さらに、画面をそのまま再生しているため、再生機能について、人の興味を引きつける特色がなく、特に視聴者を囲めることができない。平凡すぎる感じがする。前述のとおり、考案者は公知技術の欠点の改善を図り、一種の空中映像装置及びその空中投影ラックを考案及び設計に着手し、産業上の実施及び利用を図る。
【課題を解決するための手段】
【０００４】
前述した従来技術の不足点について、本考案より一種の新規性、進歩性及び産業利用性など実用新案の要件を備えた映像投影再生装置及びその空中投影ラックを考案し、従来技術の難点の克服を図る。
【０００５】
前記目的を達成するため、本考案の空中映像装置は主に以下の技術手段を含む。
【０００６】
本考案の空中投影ラックは台とプロジェクターとを備える。台の前側に傾斜状の投影パネルが立設され、投影パネルの上方に光を透さない板材の取付け板が設けられ、取付け板は投影パネルに対応する位置に投影開口部が設けられている。プロジェクターは映像の再生機能を備える電子装置であり、外観は取付け板に対応して設けられている。プロジェクターは取付け板と離れて設けることができ、プロジェクターに再生画面を備え、再生画面は投影開口部に対応しており、投影開口部を介して映像を投影パネルに投射し空中投影ラックに投影画像を表示することができる。
【０００７】
そのうち、投影パネルは４５度の仰角を形成し上方に傾斜され、空中投影ラックの台において、投影パネルの後側に対応する場所に背板が設けられている。背板は光を透さない板材であり、投影パネルは半透光性の板材である。投影パネルは黒色であり、投影パネルに保護膜を設けても良い。
【０００８】
このほか、本考案はさらに一種の空中投影ラックを開示し、台を有し、台の前側に傾斜状の投影パネルが立設され、投影パネルの上方に不透光性の板材からなる取付け板が設けられ、取付け板は投影パネルに対応する位置に投影開口部を設けている。
そのうち、投影パネルは４５度の仰角を形成し上方に傾斜され、空中投影ラックの台において、投影パネルの後側に対応する位置に不透光性の背板が設けられている。
【考案の効果】
【０００９】
本考案の空中映像装置の設計は、再生と視聴に便利なほか、投影視聴効果が極めて良い投影再生技術が提供される。そして、前述の投影再生パターンにより、空中投影ラックに仮想感覚を備えた空中投影を再生できる。このような高度な斬新考案は、従来技術では及ばないものである。
【図面の簡単な説明】
【００１０】
【図１】本考案の空中映像装置及びその空中投影ラックの実施外観図である。
【図２】本考案の空中映像装置及びその空中投影ラックの外観分解図である。
【図３】本考案の空中映像装置及びその空中投影ラックの局所素子の側視断面視図である。
【図４】本考案の空中映像装置及びその空中投影ラックの実施の側視断面図である。
【考案を実施するための形態】
【００１１】
審査官が本考案の創作特徴、内容と長所および達成できる効果の理解を図るため、本考案の図面と実施形態を以下の通り説明する。そのうち、使用される図面は実施態様と補助説明することが目的であり、本考案を実施するときの実際比例と寸法と異なることがあり得る。本考案の図面と配置関係によって本考案の実用新案範疇は制限されないものである。
【実施例】
【００１２】
図１ないし４を参照する。本考案の空中映像装置の一好ましい実施例において、空中投影ラック１０とプロジェクター２０とを備える。
【００１３】
前述空中投影ラック１０に台１１を有し、台１１の前側に傾斜状の投影パネル１２が立設され、投影パネル１２は半透光性または黒色の板材を設け、投影パネル１２は４５度の仰角を形成し上方に傾斜されており、投影パネル１２に保護膜が設けられ、空中投影ラック１０は台１１において、投影パネル１２に対応する後側に背板１３が設けられ、背板１３は不透光性の板材である。投影パネル１２の上方に不透光性の板材からなる取付け板１４が設けられ、取付け板１４は投影パネル１２に対応する位置に投影開口部１４１を設けている。
【００１４】
前述プロジェクター２０は映像再生機能を備える電子装置であり、外観は取付け板１４に対応して設けられ、取付け板１４と離れて設けることができる。該プロジェクター２０に再生画面２１を有し、再生画面２１は投影開口部１４１に対応しており、投影開口部１４１を介して、映像を投影パネル１２に投影し、光線の屈折効果によって、映像を空中投影ラック１０の前側に伝送させ、空中投影ラック１０前側の視聴者は投影画像を見ることができる。投影画像を空中かつ半透明の投影パネル１２に投影させ、空中に浮かぶ仮想感覚を形成される。
【００１５】
本考案の空中映像装置の巧妙な変化に富む設計により、便利な再生、視聴手段のほか、極めて良い投影視聴効果の投影再生技術を提供できる。本考案は従来技術の映像再生方式と一味違う映像再生方式、かつ極めて良い投影再生技術をさらに提供する。空中投影ラック１０に仮想感覚の空中投影を再生でき、高度な斬新感を有し、従来技術には及ぶことができないものである。本考案の空中投影ラック１０はプロジェクター２０と組合せて映像を再生できるほか、写真、書籍などの平面像を視聴することができ、より多くの使用機能の選択を提供し、増益性を有する。
【００１６】
以上説明した実施例は、本考案の技術思想と特徴が説明されているが、その目的はこの種の技術に詳しい当業者が本考案の内容を知り得て実施するところであり、本考案実施の範疇に制限を加えるものではなく、本考案による数値的な変更又は同等効果を有する要素の置き換え、若しくは本考案の実用新案登録請求の範囲による変更又は修整とも本考案の実用新案範疇に含まれる。
【００１７】
以上説明したように、本考案は従来技術の技術を突破し、向上効果が確実に達成されており、同一分野の技術者が容易に思いつく方法ではなく、新規性、進歩性及び産業上の利用可能性という実用新案の三つの要件を満たしている。よって、法により実用新案を出願する。
【符号の説明】
【００１８】
１０      空中投影ラック
１１      台
１２      投影パネル
１３      背板
１４      取付け板
１４１    投影開口部
２０      プロジェクター
２１      再生画面
【図１】
0003166834.tif 000003
【図２】
0003166834.tif 000004
【図３】
0003166834.tif 000005
【図４】
0003166834.tif 000006